(57)【要約】【課題】倒れ非常通報装置の提供。【解決手段】一種の倒れ非常通報装置主に、無線受発信ユニット、検出ユニット、手動救急呼出ユニット、および中央処理ユニットより構成する。検出ユニットにより、倒れ非常通報装置の異常状態を検出したとき、中央処理ユニットは無線受発信ユニットを介して、識別コードを具える救急呼出信号を発信する。利用者は本考案の装置を携帯し、不幸に倒れまたはショックなどの意外事故により倒れたとき、本考案の装置はただちに識別コードを具える救急呼出信号を付近場所に設ける倒れ非常通報装置または基地局に発信し、救急組員または担当者に連絡して、現地に赴き、救援処置を取る。【選択図】図１
0003124757.tif 000002
【実用新案登録請求の範囲】
【請求項１】
無線受発信ユニット、検出ユニット及び中央処理ユニットを含み、
無線受発信ユニットは識別コードを具える救急呼出信号を発信および外部装置より発信する一つ以上の信号を受信し、
検出ユニットは倒れ非常通報装置に異常状態あるか否かを検出し、
中央処理ユニットは該識別コードを具え、該中央処理ユニットは該無線受発信ユニットと検出ユニットに接続し、
検出ユニットにより、該倒れ非常通報装置の傾斜角度が設定値を上回り、かつ、設定時間を超え、該倒れ非常通報装置は静止状態に入り、かつ、設定時間を超えるとき、異常状態と判断し、該中央処理ユニットは該無線受発信ユニットを介して、該識別コードを具える救急呼出信号を発信することを特徴とする、一種の倒れ非常通報装置。
【請求項２】
該中央処理ユニットは表示ユニットに接続し、該無線受発信ユニットが外部装置より発信した信号を受信したとき、該表示ユニットの画面に該信号ソースを表示し判読に備えることを特徴とする請求項１記載の倒れ非常通報装置。
【請求項３】
該中央処理ユニットはブザーユニットに接続し、該検出ユニットにより、該倒れ非常通報装置の異常状態を検出したとき、該中央処理ユニットは該ブザーユニットを起動し、音声警報を発信すえることを特徴とする請求項１記載の倒れ非常通報装置。
【請求項４】
該中央処理ユニットは振動モータに接続し、該検出ユニットにより、該倒れ非常通報装置の異常状態を検出したとき、該中央処理ユニットは該振動モータを起動し、振動警報を発信すえることを特徴とする請求項４記載の倒れ非常通報装置。
【請求項５】
該中央処理ユニットは灯信号ユニットに接続し、該検出ユニットにより、該倒れ非常通報装置の異常状態を検出したとき、該中央処理ユニットは該灯信号ユニットを起動し、灯警報を発信すえることを特徴とする請求項５記載の倒れ非常通報装置。
【請求項６】
該検出ユニットは水平検出ユニットであり、該水平検出ユニットは該倒れ非常通報装置の傾斜角度は設定値を上回り、かつ、設定時間を超えるか否かを検出することを特徴とする請求項１記載の倒れ非常通報装置。
【請求項７】
該検出ユニットに作動センサーユニットを設け、該作動センサーユニットは該倒れ非常通報装置が静止状態に入り、かつ、設定時間を超えるか否かを監視することを特徴とする請求項１記載の倒れ非常通報装置。
【請求項８】
該倒れ非常通報装置の傾斜角度は４０度に設定することを特徴とする請求項１記載の倒れ非常通報装置。
【請求項９】
そのうち、該外部装置はもう一つの倒れ非常通報装置であることを特徴とする請求項１記載の倒れ非常通報装置。
【請求項１０】
該外部装置は基地局であり、該基地局より信号を該倒れ非常通報装置に発信するか、または該倒れ非常通報装置より発信した該識別コードを具える救急呼出信号を受信できることを特徴とする請求項１記載の倒れ非常通報装置。
【請求項１１】
該外部装置は複数の非常通報装置であり、各倒れ非常通報装置それぞれの識別コードを設けることを特徴とする請求項１記載の倒れ非常通報装置。
【請求項１２】
該倒れ非常通報装置はさらに、手動救急呼出ユニットを設け、手動救急呼出しできることを特徴とする請求項１記載の倒れ非常通報装置。
【考案の詳細な説明】
【技術分野】
【０００１】
本考案は倒れ非常通報装置、特に一種の利用者の異常状態を検出し、非常通報救急呼出しを自動的に発信する装置に関わるものである。
【背景技術】
【０００２】
通常、年配者が歩行または運動するとき、バランス感覚は鈍くなるため、つまずくことがしばしば見受ける。年配者の安全保護のため、従来の非常通報装置は発信機と受信主機より構成する。年配者がつまずいたとき、発信機はただちに救急呼出信号を対応する受信主機に発信し、救急呼出しする。
【０００３】
従来式の非常通報装置は孤独作業者（Ｌｏｎｅ  Ｗｏｒｋｅｒ）を保護する手段として、救急呼出し信号を外部の受信主機に発信し、受信主機より関係者を呼び出して、救援を行なう。しかしながら、発信機と受信機は救急信号を直接やりとりできないため、使用のとき不便をきたすほか、この種の呼出方式は救援のファーストチャンスを逸失し易い。
【考案の開示】
【考案が解決しようとする課題】
【０００４】
利用者の活動状況を監視することにより、利用者が不幸につまずいたとき、またはその他の意外事故により、気を失った状態になったとき、本考案による倒れ非常通報装置より、識別コードを具える救急呼出信号を付近場所の非常通報装置または基地局に発信し、救急組員または担当者に連絡して、現地に赴き、救援処置を取る、一種の倒れ非常通報装置の提供を主な目的とする。
【０００５】
本考案による倒れ非常通報装置は主に、無線受発信ユニット、検出ユニット、および中央処理ユニットを包含する。そのうち、中央処理ユニットに識別コードを設け、無線受発信ユニットは識別コードを具える救急呼出信号を発信し、一つ以上の外部装置より発信する一つ以上の信号、検出ユニットにより該倒れ非常通報装置の異常状態を監視し検出する、中央処理ユニットを無線受発信ユニットと検出ユニットに接続する。
【０００６】
本考案による倒れ非常通報装置の検出ユニットにより、
（１）  該倒れ非常通報装置の傾斜角度が設定値を上回り、かつ、設定時間を超えるとき、
（２）  該倒れ非常通報装置が静止状態に入り、かつ、設定時間を超えるとき、または
（３）  該倒れ非常通報装置の傾斜角度が設定値を上回り、静止状態に入り、かつ、設定時間を超えるときは、異常状態と判断し、該中央処理ユニットは該無線受発信ユニットを介して、該識別コードを具える救急呼出信号を本考案による倒れ非常通報装置に発信する。
【０００７】
該中央処理ユニットは表示ユニットに接続し、該無線受発信ユニットは外部装置より発信した信号を受信したとき、該表示ユニットに信号ソースを判定する画面が表示される。
【０００８】
本考案による倒れ非常通報装置の中央処理ユニットはブザーユニットに接続し、該検出ユニットにより、該倒れ非常通報装置の異常状態を検出したとき、該中央処理ユニットは該ブザーユニットを起動し、音声警報を発信する。該中央処理ユニットはさらに、振動モータに接続しておき、検出ユニットより該倒れ非常通報装置の異常状態を検出したとき、該中央処理ユニットは振動モータを起動して、振動信号を発信する。該中央処理ユニットはさらに、振動モータに接続しておき、検出ユニットより該倒れ非常通報装置の異常状態を検出したとき、該中央処理ユニットは振動モータを起動して、振動信号を発信する。
【０００９】
本考案による倒れ非常通報装置の検出ユニットは水平検出ユニットであり、該水平検出ユニットは該倒れ非常通報装置の傾斜角度は設定値を上回り、かつ、設定時間を超えるか否かを検出する。一例として、傾斜角度設定値を４０度に設定し、利用者は本考案による倒れ非常通報装置を腰部に付けておく、利用者の失神により、非常通報装置の傾斜角度が４０度を上回り、しかも設定時間を超えても起き上がらないとき、異常状態と判断し、該中央処理ユニットは該無線受発信ユニットを介して、識別コードを具える救急呼出信号を発信する。
【００１０】
本考案による倒れ非常通報装置はさらに、主動救急呼出ユニットを設け、手（主）動非常通報を提供し、救急呼出信号を発信する。利用者が必要（体の不具合を感じるなど）と認めるとき、主動救急呼出ユニットを押すことにより、中央処理ユニットは無線受発信ユニットを介して、識別コードを具える救急呼出信号を発信する。以上の構造により、利用者より救急呼出信号を発信し、救急組員または担当者に連絡することができる。
【００１１】
本考案による倒れ非常通報装置の検出ユニットに作動センサーユニットを設け、該作動センサーユニットは該倒れ非常通報装置が静止状態に入り、かつ、設定時間を超えるか否かを監視する。利用者の居眠りにより、倒れ非常通報装置が静止状態に入り、かつ、設定時間を超えるとき、異常状態と判断し、中央処理ユニットは無線受発信ユニットを介して、識別コードを具える救急呼出信号を発信する。
【００１２】
本考案による倒れ非常通報装置の外部装置は倒れ非常通報装置、基地局、または複数の倒れ非常通報装置を設けて、それぞれの倒れ非常通報装置に唯一の識別コードを設ける。本考案による基地局はさらに、手動救急呼出ユニットを設け、該基地局より識別コードを具える救急呼出信号をグループ内その他の倒れ非常通報装置も発信する。
【００１３】
前記の倒れ非常通報装置はグループを分けて使用しても良い。一例として、一つグループの消防隊員で使用するとき、隊員同士の救急支援通信を実現する。さらに、登山隊員同士または旅行者同士で使用しても良い。前記の倒れ非常通報装置は子機として、養護ホーム、病院の看護婦室に設けて、年配者のつまずきなどを検出し、基地局に非常通報連絡ができる。
【課題を解決するための手段】
【００１４】
請求項１の考案は、無線受発信ユニット、検出ユニット及び中央処理ユニットを含み、無線受発信ユニットは識別コードを具える救急呼出信号を発信および外部装置より発信する一つ以上の信号を受信し、
検出ユニットは倒れ非常通報装置に異常状態あるか否かを検出し、
中央処理ユニットは該識別コードを具え、該中央処理ユニットは該無線受発信ユニットと検出ユニットに接続し、
検出ユニットにより、該倒れ非常通報装置の傾斜角度が設定値を上回り、かつ、設定時間を超え、該倒れ非常通報装置は静止状態に入り、かつ、設定時間を超えるとき、異常状態と判断し、該中央処理ユニットは該無線受発信ユニットを介して、該識別コードを具える救急呼出信号を発信することを特徴とする、一種の倒れ非常通報装置としている。
請求項２の考案は、該中央処理ユニットは表示ユニットに接続し、該無線受発信ユニットが外部装置より発信した信号を受信したとき、該表示ユニットの画面に該信号ソースを表示し判読に備えることを特徴とする請求項１記載の倒れ非常通報装置としている。
請求項３の考案は、該中央処理ユニットはブザーユニットに接続し、該検出ユニットにより、該倒れ非常通報装置の異常状態を検出したとき、該中央処理ユニットは該ブザーユニットを起動し、音声警報を発信すえることを特徴とする請求項１記載の倒れ非常通報装置としている。
請求項４の考案は、該中央処理ユニットは振動モータに接続し、該検出ユニットにより、該倒れ非常通報装置の異常状態を検出したとき、該中央処理ユニットは該振動モータを起動し、振動警報を発信すえることを特徴とする請求項４記載の倒れ非常通報装置としている。
請求項５の考案は、該中央処理ユニットは灯信号ユニットに接続し、該検出ユニットにより、該倒れ非常通報装置の異常状態を検出したとき、該中央処理ユニットは該灯信号ユニットを起動し、灯警報を発信すえることを特徴とする請求項５記載の倒れ非常通報装置としている。
請求項６の考案は、該検出ユニットは水平検出ユニットであり、該水平検出ユニットは該倒れ非常通報装置の傾斜角度は設定値を上回り、かつ、設定時間を超えるか否かを検出することを特徴とする請求項１記載の倒れ非常通報装置としている。
請求項７の考案は、該検出ユニットに作動センサーユニットを設け、該作動センサーユニットは該倒れ非常通報装置が静止状態に入り、かつ、設定時間を超えるか否かを監視することを特徴とする請求項１記載の倒れ非常通報装置としている。
請求項８の考案は、該倒れ非常通報装置の傾斜角度は４０度に設定することを特徴とする請求項１記載の倒れ非常通報装置としている。
請求項９の考案は、そのうち、該外部装置はもう一つの倒れ非常通報装置であることを特徴とする請求項１記載の倒れ非常通報装置としている。
請求項１０の考案は、該外部装置は基地局であり、該基地局より信号を該倒れ非常通報装置に発信するか、または該倒れ非常通報装置より発信した該識別コードを具える救急呼出信号を受信できることを特徴とする請求項１記載の倒れ非常通報装置としている。
請求項１１の考案は、該外部装置は複数の非常通報装置であり、各倒れ非常通報装置それぞれの識別コードを設けることを特徴とする請求項１記載の倒れ非常通報装置としている。
請求項１２の考案は、該倒れ非常通報装置はさらに、手動救急呼出ユニットを設け、手動救急呼出できることを特徴とする請求項１記載の倒れ非常通報装置としている。
【考案の効果】
【００１５】
本考案は倒れ非常通報装置、利用者の活動状況を監視することにより、利用者が不幸につまずいたとき、またはその他の意外事故により、気を失った状態になったとき、本考案による倒れ非常通報装置より、識別コードを具える救急呼出信号を付近場所の非常通報装置または基地局に発信し、救急組員または担当者に連絡して、現地に赴き、救援処置を取る。
【考案を実施するための最良の形態】
【００１６】
図１に示すものは、本考案による倒れ非常通報装置の実施例１のシステムブロック図である。倒れ非常通報装置１０は主に、中央処理ユニット１１、無線受発信ユニット１２、手動救急呼出ユニット１９および検出ユニット１４より構成する。倒れ非常通報装置１０の身分識別するため、中央処理ユニット１１内部に識別コードを設ける。無線受発信ユニット１２より該識別コードを具える救急呼出信号の発信、および複数の外部装置（図１に示していない）より発信する一つまたはそれ以上の信号を受信する。検出ユニット１４は倒れ非常通報装置１０に異常状態あるか否かを検出する。
【００１７】
本考案による倒れ非常通報装置の検出ユニット１４は水平検出ユニット、作動センサーユニット、または水平検出と作動センサーを兼ねたユニットを設ける。水平検出ユニットにより、該倒れ非常通報装置の傾斜角度が設定値を上回り、かつ、設定時間を超えるか否かを検出する。作動センサーユニットにより、該倒れ非常通報装置が静止状態に入り、かつ、設定時間を超えるか否かを検出する。
【００１８】
倒れ非常通報装置１０の異常状態の判定は、本考案による検出ユニット１４により、
（１）該倒れ非常通報装置１０の傾斜角度が設定値を上回り、かつ、設定時間を超えるとき、
（２）該倒れ非常通報装置１０が静止状態に入り、かつ、設定時間を超えるとき、または（３）該倒れ非常通報装置１０の傾斜角度が設定値を上回り、かつ、設定時間を超えるとき、前記の（１）、（２）または（３）いずれの状態が発生したとき、異常状態と判断する。該倒れ非常通報装置１０により異常状態と判断したとき、該中央処理ユニット１１は該無線受発信ユニット１２を介して、該識別コードを具える救急呼出信号を発信する。
【００１９】
引き続き図１を参照する。中央処理ユニット１１に表示ユニット１５に接続しておく、該無線受発信ユニット１２が外部装置の発信信号を受信したとき、該表示ユニット１５の画面に該信号ソースを表示し、読み取りに備える。該中央処理ユニット１１はさらに、ブザーユニット１６に接続しておき、検出ユニット１４より該倒れ非常通報装置１０の異常状態を検出したとき、該中央処理ユニット１１はブザーユニット１６を起動して、音声警告信号を発信する。該中央処理ユニット１１はさらに、振動モータ１７に接続しても良い。本実施例において、遭難者が携帯する倒れ非常通報装置は救急状態のとき、作動センサーユニットによる遭難者の回復を誤報し、救急呼出信号の発信を中断されることを避けるため、振動しない。
【００２０】
中央処理ユニット１１はさらに、灯信号ユニット１８に接続し、該検出ユニット１４により、該倒れ非常通報装置１０の異常状態を検出したとき、該中央処理ユニット１１を介して該灯信号ユニット１８を起動し、灯警告信号を発信する。これにより、暗い環境または火災の煙現場で、さらなる効果を発揮できる。このほか、倒れ非常通報装置１０に手動救急呼出ユニット１９（ボタンなど）を設け、利用者は必要（体の不具合を感じるなど）を認めるとき、手動救急呼出ユニット１９を押すことにより、中央処理ユニットは無線受発信ユニットを介して、識別コードを具える救急呼出信号を発信する。以上の構造により、利用者より救急呼出信号を発信し、救急組員または担当者に連絡することができる。
【００２１】
本考案を使用するとき、図３に示すとおり、倒れ非常通報装置１０を利用者の腰部に付けておく、複数の他の倒れ非常通報装置１０’および基地局３０と組合せ使用により、グループ関係を形成する。図３において、符号１０と符号１０’とも、機能が同じの倒れ非常通報装置を設け、身分識別するため、倒れ非常通報装置１０または倒れ非常通報装置１０’にそれぞれの唯一の識別コードを設ける。
【００２２】
グループ内いずれの倒れ非常通報装置１０より発信する救急呼出信号は、グループ内その他の倒れ非常通報装置１０’より受信する。救急呼出信号を受信した倒れ非常通報装置１０’は、救急呼出信号を発信した倒れ非常通報装置１０の識別コードを表示ユニット（図３に示していない。図１の表示ユニット１５を参照）に表示する。グループ員同士はお互いに非常通報を行い、有効に識別できる。
【００２３】
図３を図１に合わせて参照する。消防隊員は倒れ非常通報装置１０を付けて、火災現場に赴き、検出ユニット１４は倒れ非常通報装置１０の異常状態を検出する。一例として、検出ユニット１４は水平検出ユニットを設けるとき、体の傾斜角度を検出できる。このとき水平検出ユニットの傾斜角度の設定値を４０度、時間３０秒と設定する。利用者（消防隊員）は不幸につまずく、または遭難により失神したとき、倒れ非常通報装置１０は利用者の腰部に付けているため、利用者のつまずくまたは失神すると、倒れ非常通報装置１０の傾斜角度は設定値の４０度を上回る。さらに、３０秒間を経過した後、利用者はなお起き上がらないとき、異常状態と判断する。中央処理ユニット１１は自動的に該無線受発信ユニット１２を介して、該識別コードを具える救急呼出信号を発信する。他の組員が携帯した倒れ非常通報装置１０’または基地局３０は、遭難発信者の救急呼出信号を受信した後、救援に赴くことができる。
【００２４】
前記の救急呼出信号を受信した同じグループの倒れ非常通報装置１０’に、救急呼出信号を発信した倒れ非常通報装置１０の識別コードを表示ユニット１５に表示する。関係者は識別コードに基づいて、遭難隊員を特定して、救援に取りかかることができる。
【００２５】
本考案による倒れ非常通報装置１０はさらに、音声、灯による警告方式により、遭難隊員の発見または発見される確率を向上する。
【００２６】
図２にしめすものは、本考案による基地局３０のシステムブロック図である。基地局３０は主に、中央処理ユニット３１、無線受発信ユニット３２、ブザーユニット３３、手動救急呼出ユニット３４、表示ユニット３５、および灯信号ユニット３６より構成する。
【００２７】
本考案による倒れ非常通報装置１０はさらに、音声、灯による警告方式により、遭難隊員の発見または発見される確率を向上する。図３を合わせて参照する。基地局３０は各倒れ非常通報装置１０（または１０’）をグループ（ｇｒｏｕｐ）関係に設定しておく、基地局３０の中央処理ユニット３１は複数の識別コードを保存し、識別の根拠とする。手動救急呼出ユニット３４により基地局３０を制御し、識別コード（識別コードに消防隊員の編成、コードまたは氏名などを指定できる）を具える救急呼出信号をグループ内の他の倒れ非常通報装置１に発信する。グループ内いずれの倒れ非常通報装置１０（または１０’）より発信する救急呼出信号は基地局３０または他の倒れ非常通報装置１０’によって受信されると、基地局３０は救急呼出信号を発信した倒れ非常通報装置１０の識別コードを表示ユニット３５に表示するほか、ブザーユニット３３より音声警告信号を発信するか、または灯信号ユニット３６より灯信号警告信号を発信する。関係者は識別コード３５に基づいて、遭難隊員を特定して、救援に取りかかることができる。
【００２８】
前記の説明により、本考案による倒れ非常通報装置は、グループ同士の通報機能を有するほか、それぞれの倒れ非常通報装置は救急呼出信号をグループ内いずれの倒れ非常通報装置と基地局に発信することができる。各倒れ非常通報装置はそれぞれの識別コードを設けているため、いずれの倒れ非常通報装置がグループ内いずれの倒れ非常通報装置より発信した救急呼出信号を受信したとき、救急呼出信号を発信した倒れ非常通報装置の識別コードを表示ユニットに表示することができる。本考案は識別コードの補助判断により、消防隊員または医療従事者はグループ内他のメンバーに救助対象を速やかに判断することができる。さらに、基地局は救援メッセージをグループ内いずれの組員に発信し、遭難場所最寄りの組員に救援させる。
【図面の簡単な説明】
【００２９】
【図１】本考案による好ましい実施例の倒れ非常通報装置のシステムブロック図である。
【図２】本考案の実施例を応用した基地局のシステムブロック図である。
【図３】本考案もう一つの実施例の概略図である。
【符号の説明】
【００３０】
１０、１０’  倒れ非常通報装置
１１、３１  中央処理ユニット
１２、３２  無線受発信ユニット
１４  検出ユニット
１５、３５  表示ユニット
１６、３３  ブザーユニット
１７  振動モータ
１８、３６  灯信号ユニット
１９、３４  手動救急呼出ユニット
３０  基地局
【図１】
0003124757.tif 000003
【図２】
0003124757.tif 000004
【図３】
0003124757.tif 000005
【手続補正書】
【提出日】平成18年6月23日(2006.6.23)
【手続補正１】
【補正対象書類名】実用新案登録請求の範囲
【補正対象項目名】全文
【補正方法】変更
【補正の内容】
【実用新案登録請求の範囲】
【請求項１】
無線受発信ユニット、検出ユニット及び中央処理ユニットを含み、
無線受発信ユニットは識別コードを具える救急呼出信号を発信および外部装置より発信する一つ以上の信号を受信し、
検出ユニットは倒れ非常通報装置に異常状態があるか否かを検出し、
中央処理ユニットは該識別コードを具え、該中央処理ユニットは該無線受発信ユニットと検出ユニットに接続し、
検出ユニットにより、該倒れ非常通報装置の傾斜角度が設定値を上回り、かつ、設定時間を超え、該倒れ非常通報装置は静止状態に入り、かつ、設定時間を超えるとき、異常状態と判断し、該中央処理ユニットは該無線受発信ユニットを介して、該識別コードを具える救急呼出信号を発信することを特徴とする、一種の倒れ非常通報装置。
【請求項２】
該中央処理ユニットは表示ユニットに接続し、該無線受発信ユニットが外部装置より発信した信号を受信したとき、該表示ユニットの画面に該信号ソースを表示し判読に備えることを特徴とする請求項１記載の倒れ非常通報装置。
【請求項３】
該中央処理ユニットはブザーユニットに接続し、該検出ユニットにより、該倒れ非常通報装置の異常状態を検出したとき、該中央処理ユニットは該ブザーユニットを起動し、音声警報を発信することを特徴とする請求項１記載の倒れ非常通報装置。
【請求項４】
該中央処理ユニットは振動モータに接続し、該検出ユニットにより、該倒れ非常通報装置の異常状態を検出したとき、該中央処理ユニットは該振動モータを起動し、振動警報を発信することを特徴とする請求項１記載の倒れ非常通報装置。
【請求項５】
該中央処理ユニットは灯信号ユニットに接続し、該検出ユニットにより、該倒れ非常通報装置の異常状態を検出したとき、該中央処理ユニットは該灯信号ユニットを起動し、灯警報を発信することを特徴とする請求項１記載の倒れ非常通報装置。
【請求項６】
該検出ユニットは水平検出ユニットであり、該水平検出ユニットは該倒れ非常通報装置の傾斜角度は設定値を上回り、かつ、設定時間を超えるか否かを検出することを特徴とする請求項１記載の倒れ非常通報装置。
【請求項７】
該検出ユニットに作動センサーユニットを設け、該作動センサーユニットは該倒れ非常通報装置が静止状態に入り、かつ、設定時間を超えるか否かを監視することを特徴とする請求項１記載の倒れ非常通報装置。
【請求項８】
該倒れ非常通報装置の傾斜角度は４０度に設定することを特徴とする請求項１記載の倒れ非常通報装置。
【請求項９】
そのうち、該外部装置はもう一つの倒れ非常通報装置であることを特徴とする請求項１記載の倒れ非常通報装置。
【請求項１０】
該外部装置は基地局であり、該基地局より信号を該倒れ非常通報装置に発信するか、または該倒れ非常通報装置より発信した該識別コードを具える救急呼出信号を受信できることを特徴とする請求項１記載の倒れ非常通報装置。
【請求項１１】
該外部装置は複数の非常通報装置であり、各倒れ非常通報装置それぞれの識別コードを設けることを特徴とする請求項１記載の倒れ非常通報装置。
【請求項１２】
該倒れ非常通報装置はさらに、手動救急呼出ユニットを設け、手動救急呼出しできることを特徴とする請求項１記載の倒れ非常通報装置。
【手続補正２】
【補正対象書類名】明細書
【補正対象項目名】００１４
【補正方法】変更
【補正の内容】
【００１４】
請求項１の考案は、無線受発信ユニット、検出ユニット及び中央処理ユニットを含み、無線受発信ユニットは識別コードを具える救急呼出信号を発信および外部装置より発信する一つ以上の信号を受信し、
検出ユニットは倒れ非常通報装置に異常状態があるか否かを検出し、
中央処理ユニットは該識別コードを具え、該中央処理ユニットは該無線受発信ユニットと検出ユニットに接続し、
検出ユニットにより、該倒れ非常通報装置の傾斜角度が設定値を上回り、かつ、設定時間を超え、該倒れ非常通報装置は静止状態に入り、かつ、設定時間を超えるとき、異常状態と判断し、該中央処理ユニットは該無線受発信ユニットを介して、該識別コードを具える救急呼出信号を発信することを特徴とする、一種の倒れ非常通報装置としている。
請求項２の考案は、該中央処理ユニットは表示ユニットに接続し、該無線受発信ユニットが外部装置より発信した信号を受信したとき、該表示ユニットの画面に該信号ソースを表示し判読に備えることを特徴とする請求項１記載の倒れ非常通報装置としている。
請求項３の考案は、該中央処理ユニットはブザーユニットに接続し、該検出ユニットにより、該倒れ非常通報装置の異常状態を検出したとき、該中央処理ユニットは該ブザーユニットを起動し、音声警報を発信することを特徴とする請求項１記載の倒れ非常通報装置としている。
請求項４の考案は、該中央処理ユニットは振動モータに接続し、該検出ユニットにより、該倒れ非常通報装置の異常状態を検出したとき、該中央処理ユニットは該振動モータを起動し、振動警報を発信することを特徴とする請求項１記載の倒れ非常通報装置としている。
請求項５の考案は、該中央処理ユニットは灯信号ユニットに接続し、該検出ユニットにより、該倒れ非常通報装置の異常状態を検出したとき、該中央処理ユニットは該灯信号ユニットを起動し、灯警報を発信することを特徴とする請求項１記載の倒れ非常通報装置としている。
請求項６の考案は、該検出ユニットは水平検出ユニットであり、該水平検出ユニットは該倒れ非常通報装置の傾斜角度は設定値を上回り、かつ、設定時間を超えるか否かを検出することを特徴とする請求項１記載の倒れ非常通報装置としている。
請求項７の考案は、該検出ユニットに作動センサーユニットを設け、該作動センサーユニットは該倒れ非常通報装置が静止状態に入り、かつ、設定時間を超えるか否かを監視することを特徴とする請求項１記載の倒れ非常通報装置としている。
請求項８の考案は、該倒れ非常通報装置の傾斜角度は４０度に設定することを特徴とする請求項１記載の倒れ非常通報装置としている。
請求項９の考案は、そのうち、該外部装置はもう一つの倒れ非常通報装置であることを特徴とする請求項１記載の倒れ非常通報装置としている。
請求項１０の考案は、該外部装置は基地局であり、該基地局より信号を該倒れ非常通報装置に発信するか、または該倒れ非常通報装置より発信した該識別コードを具える救急呼出信号を受信できることを特徴とする請求項１記載の倒れ非常通報装置としている。
請求項１１の考案は、該外部装置は複数の非常通報装置であり、各倒れ非常通報装置それぞれの識別コードを設けることを特徴とする請求項１記載の倒れ非常通報装置としている。
請求項１２の考案は、該倒れ非常通報装置はさらに、手動救急呼出ユニットを設け、手動救急呼出できることを特徴とする請求項１記載の倒れ非常通報装置としている。